(57)【要約】【課題】  Ｘ線条件を調整した後にＸ線撮影に使用されるＸ線検出器が変更された場合においても、Ｘ線条件を再調整する作業を低減することが可能なＸ線撮影装置を提供する。【解決手段】  コンソール部２は、オーダ情報受信部２１と、画像処理部２２と、入力部２３と、表示部２４と、Ｘ線検出器１を特定するためのＸ線検出器特定部２５と、Ｘ線検出器１の感度特性と被検者Ｍの撮影条件とに基づいてＸ線条件を決定するＸ線条件決定部２６と、通信部２７と、Ｘ線検出器制御部２８とを備える。一方、高電圧部６は、通信部６５と、コンソール部２から送信されたＸ線条件を記憶するＸ線条件記憶部６６と、操作パネルの操作に伴ってＸ線条件記憶部６６に記憶されたＸ線条件を調整するＸ線条件調整部６７とを備える。【選択図】        図４
2018068820.tif 000002
【特許請求の範囲】
【請求項１】
被検者にＸ線を照射するためのＸ線照射部と、前記Ｘ線照射部を制御するＸ線制御部と、前記被検者の撮影条件を記憶する撮影制御部と、を備えたＸ線撮影装置であって、
前記撮影制御部は、前記被検者の撮影に用いられるＸ線検出器を特定するＸ線検出器特定手段と、前記Ｘ線検出器特定手段により特定されたＸ線検出器の感度特性と前記撮影条件とに基づいてＸ線条件を決定するＸ線条件決定手段と、前記Ｘ線制御部に対して前記Ｘ線条件決定手段により決定されたＸ線条件を送信するＸ線条件送信手段とを有し、
前記Ｘ線制御部は、前記撮影制御部から送信されたＸ線条件を記憶するＸ線条件記憶手段と、前記Ｘ線条件記憶手段に記憶されたＸ線条件を調整するＸ線条件調整手段とを有し、
前記撮影制御部におけるＸ線条件送信手段は、前記Ｘ線検出器特定手段により特定されたＸ線検出器が変更された場合に、変更前のＸ線検出器の感度特性に対応するＸ線条件と変更後のＸ線検出器の感度特性に対応するＸ線条件との差異に応じて、前記Ｘ線制御部に対して、Ｘ線条件を再度送信するか否かを制御することを特徴とするＸ線撮影装置。
【請求項２】
被検者にＸ線を照射するためのＸ線照射部と、前記Ｘ線照射部を制御するＸ線制御部と、前記被検者の撮影条件を記憶する撮影制御部と、を備えたＸ線撮影装置であって、
前記撮影制御部は、前記被検者の撮影に用いられるＸ線検出器を特定するＸ線検出器特定手段と、前記Ｘ線検出器特定手段により特定されたＸ線検出器の感度特性と前記撮影条件とに基づいてＸ線条件を決定するＸ線条件決定手段と、前記Ｘ線制御部に対して前記Ｘ線条件決定手段により決定されたＸ線条件を送信するＸ線条件送信手段とを有し、
前記Ｘ線制御部は、前記撮影制御部から送信されたＸ線条件を記憶するＸ線条件記憶手段と、前記Ｘ線条件記憶手段に記憶されたＸ線条件を調整するＸ線条件調整手段とを有し、
前記撮影制御部におけるＸ線条件送信手段は、前記Ｘ線検出器特定手段により特定されたＸ線検出器が変更された場合に、変更前のＸ線検出器の感度特性に対応するＸ線条件と変更後のＸ線検出器の感度特性に対応するＸ線条件との差異に基づく修正情報を前記Ｘ線制御部に送信し、前記Ｘ線制御部は、前記Ｘ線条件送信手段から送信された修正情報に基づいて、前記Ｘ線条件記憶手段に記憶されているＸ線条件を修正することを特徴とするＸ線撮影装置。
【請求項３】
請求項２に記載のＸ線撮影装置において、
前記撮影制御部は、前記Ｘ線制御部から受信した前記Ｘ線条件調整手段により調整された後のＸ線条件を、変更前のＸ線検出器の感度特性に対応するＸ線条件と変更後のＸ線検出器の感度特性に対応するＸ線条件との差異に基づいて修正するとともに、修正後のＸ線条件を、前記Ｘ線条件送信手段により前記修正情報として前記Ｘ線制御部に送信し、
前記Ｘ線制御部における前記Ｘ線条件記憶手段は、前記撮影制御部により修正されたＸ線条件を記憶するＸ線撮影装置。
【請求項４】
請求項３に記載のＸ線撮影装置において、
前記撮影制御部は、前記Ｘ線検出器特定手段により特定されたＸ線検出器が変更された場合に、変更前のＸ線検出器の感度特性と変更後のＸ線検出器の感度特性との比を補正係数として演算し、
前記Ｘ線条件調整手段により調整された後のＸ線条件のうち、前記Ｘ線照射部に付与する管電流または前記Ｘ線照射部によるＸ線の照射時間に対して、前記補正係数を乗算することにより、前記Ｘ線条件調整手段により調整された後のＸ線条件を修正するＸ線撮影装置。
【発明の詳細な説明】
【技術分野】
【０００１】
この発明は、Ｘ線管等のＸ線照射部から照射され被検者を通過したＸ線を、フラットパネルディテクタ等のＸ線検出器により検出するＸ線撮影装置に関する。
【背景技術】
【０００２】
このようなＸ線撮影装置は、被検者に対してＸ線を照射するＸ線管と、このＸ線管に対して管電圧および管電流を供給する高電圧部と、被検者を透過するＸ線を検出して被検者の透視画像信号を出力するための複数のＸ線検出器と、高電圧部とＸ線検出器とを制御するコンソール部とを備えている。このコンソール部は、病院内の無線ネットワークを介して、放射線情報システム（ＲＩＳ：Ｒａｄｉｏｌｏｇｙ  Ｉｎｆｏｒｍａｔｉｏｎ  Ｓｙｓｔｅｍｓ）と接続されており、この放射線情報システムより撮影オーダ情報を取得する。そして、コンソール部は、撮影オーダ情報に基づいた撮影を実施する際に、複数のＸ線検出器の中からＸ線撮影に使用するＸ線検出器を選択するとともに、そのＸ線検出器を使用した場合の最適なＸ線条件を高電圧部に対して送信し、撮影を実行する。
【０００３】
撮影オーダ情報としては、関心領域の部位（撮影部位）や撮影方向（例えば、胸部正面や胸部側面）等のＸ線条件の他、患者の氏名、体格、性別、グリッドの要否、画像処理条件等も含まれる。
【０００４】
複数のＸ線検出器のうちからＸ線撮影に使用するＸ線検出器を選択する方法としては、Ｘ線撮影前に操作者が使用可能なＸ線検出器の中から明示的に選択する場合や、撮影オーダ情報とＸ線検出器固有の情報とを予め関連付け、Ｘ線撮影時にコンソール部で選択された撮影オーダ情報に関連付けられた検出器固有の情報に基づいて使用するＸ線検出器を指定する場合等がある。なお、このようなＸ線検出器としては、近年、コンソール部とのワイヤレス通信（無線通信）が可能なフラットパネルディテクタ（ＦＰＤ：  Ｆｌａｔ  Ｐａｎｅｌ  Ｄｅｔｅｃｔｏｒ）等のデジタルＸ線検出器が使用されている。
【０００５】
Ｘ線撮影を実行するときには、コンソール部は事前に登録されているＸ線条件の中から取得した撮影オーダ情報と使用するＸ線検出器情報に合致するＸ線条件を高電圧部に送信する。高電圧部は受信したＸ線条件に基づいてＸ線管に制御信号を送信し、Ｘ線管からＸ線を照射して撮影を行う。このようなＸ線撮影を行うためには、予め、撮影オーダ情報に含まれる撮影部位等の情報とＸ線検出器情報との組み合わせ毎に最適なＸ線条件をコンソール部に登録しておく必要がある。
【０００６】
特許文献１には、撮影条件を設定する必要のある第一のＸ線センサのセンサ情報を取得する第一の取得手段と、撮影条件を設定するための撮影条件の転用元となる第二のＸ線センサのセンサ情報を取得する第二の取得手段と、第一のＸ線センサのセンサ情報と第二のＸ線センサのセンサ情報とに基づき、第二のＸ線センサの撮影条件の内、第一のＸ線センサの撮影条件として転用可能な撮影条件を選択する選択手段と、選択手段で選択された撮影条件に基づき第一のＸ線センサの撮影条件を設定する設定手段と、を有することにより、Ｘ線撮影装置に新たなＸ線検出器を追加するときに追加されるＸ線検出器情報に応じたＸ線条件の登録の際の操作者負荷を軽減することができるＸ線撮影制御装置が開示されている。
【先行技術文献】
【特許文献】
【０００７】
【特許文献１】特開２０１６−７３８８９号公報
【発明の概要】
【発明が解決しようとする課題】
【０００８】
例えば、使用が予定されていたＸ線検出器がワイヤレス通信方式のＸ線検出器であり、Ｘ線撮影時にバッテリーの残量が不足することとなった場合には、このＸ線検出器とは別のＸ線検出器を使用して撮影を行う必要がある。また、撮影部位の大きさ等に応じて、複数のＸ線検出器を使い分ける場合がある。さらには、一つのＸ線検出器を複数のＸ線撮影装置で共有して使用する場合に、Ｘ線撮影を行うタイミングにおいて使用が予定されているＸ線検出器が他のＸ線撮影装置で使用されていた場合には、使用が予定されていたＸ線検出器とは別のＸ線検出器を使用してＸ線撮影を行う必要がある。このような場合においては、新たに選択したＸ線検出器を使用した場合の最適なＸ線条件が、コンソール部から高電圧部に対して送信される。
【０００９】
一方、このようなＸ線撮影装置においては、撮影時のＳＩＤ（Ｓｏｕｒｃｅ  Ｉｍａｇｅ  ｒｅｃｅｐｔｏｒ  Ｄｉｓｔａｎｃｅ）や被検者の体厚等のＸ線条件に影響を与える要素を考慮して、高電圧部でＸ線条件を調整することが行われている。このように、高電圧部でＸ線条件を変更していた場合において、Ｘ線検出器を変更することにより、新たに選択したＸ線検出器を使用した場合の最適なＸ線条件が、コンソール部から高電圧部に対して送信された場合においては、高電圧部で調整されたＸ線条件がコンソール部から送信されたＸ線条件で上書きされてしまうことから、再度、高電圧部でＸ線条件を調整することが必要となる。
【００１０】
この発明は上記課題を解決するためになされたものであり、Ｘ線条件を調整した後にＸ線撮影に使用されるＸ線検出器が変更された場合においても、Ｘ線条件を再調整する作業を低減することが可能なＸ線撮影装置を提供することを目的とする。
【課題を解決するための手段】
【００１１】
請求項１に記載の発明は、被検者にＸ線を照射するためのＸ線照射部と、前記Ｘ線照射部を制御するＸ線制御部と、前記被検者の撮影条件を記憶する撮影制御部と、を備えたＸ線撮影装置であって、前記撮影制御部は、前記被検者の撮影に用いられるＸ線検出器を特定するＸ線検出器特定手段と、前記Ｘ線検出器特定手段により特定されたＸ線検出器の感度特性と前記撮影条件とに基づいてＸ線条件を決定するＸ線条件決定手段と、前記Ｘ線制御部に対して前記Ｘ線条件決定手段により決定されたＸ線条件を送信するＸ線条件送信手段とを有し、前記Ｘ線制御部は、前記撮影制御部から送信されたＸ線条件を記憶するＸ線条件記憶手段と、前記Ｘ線条件記憶手段に記憶されたＸ線条件を調整するＸ線条件調整手段とを有し、前記撮影制御部におけるＸ線条件送信手段は、前記Ｘ線検出器特定手段により特定されたＸ線検出器が変更された場合に、変更前のＸ線検出器の感度特性に対応するＸ線条件と変更後のＸ線検出器の感度特性に対応するＸ線条件との差異に応じて、前記Ｘ線制御部に対して、Ｘ線条件を再度送信するか否かを制御することを特徴とする。
【００１２】
請求項２に記載の発明は、被検者にＸ線を照射するためのＸ線照射部と、前記Ｘ線照射部を制御するＸ線制御部と、前記被検者の撮影条件を記憶する撮影制御部と、を備えたＸ線撮影装置であって、前記撮影制御部は、前記被検者の撮影に用いられるＸ線検出器を特定するＸ線検出器特定手段と、前記Ｘ線検出器特定手段により特定されたＸ線検出器の感度特性と前記撮影条件とに基づいてＸ線条件を決定するＸ線条件決定手段と、前記Ｘ線制御部に対して前記Ｘ線条件決定手段により決定されたＸ線条件を送信するＸ線条件送信手段とを有し、前記Ｘ線制御部は、前記撮影制御部から送信されたＸ線条件を記憶するＸ線条件記憶手段と、前記Ｘ線条件記憶手段に記憶されたＸ線条件を調整するＸ線条件調整手段とを有し、前記撮影制御部におけるＸ線条件送信手段は、前記Ｘ線検出器特定手段により特定されたＸ線検出器が変更された場合に、変更前のＸ線検出器の感度特性に対応するＸ線条件と変更後のＸ線検出器の感度特性に対応するＸ線条件との差異に基づく修正情報を前記Ｘ線制御部に送信し、前記Ｘ線制御部は、前記Ｘ線条件送信手段から送信された修正情報に基づいて、前記Ｘ線条件記憶手段に記憶されているＸ線条件を修正することを特徴とする。
【００１３】
請求項３に記載の発明は、請求項２に記載の発明において、前記撮影制御部は、前記Ｘ線制御部から受信した前記Ｘ線条件調整手段により調整された後のＸ線条件を、変更前のＸ線検出器の感度特性に対応するＸ線条件と変更後のＸ線検出器の感度特性に対応するＸ線条件との差異に基づいて修正するとともに、修正後のＸ線条件を、前記Ｘ線条件送信手段により前記修正情報として前記Ｘ線制御部に送信し、前記Ｘ線制御部における前記Ｘ線条件記憶手段は、前記撮影制御部により修正されたＸ線条件を記憶する。
【００１４】
請求項４に記載の発明は、請求項３に記載の発明において、前記撮影制御部は、前記Ｘ線検出器特定手段により特定されたＸ線検出器が変更された場合に、変更前のＸ線検出器の感度と変更後のＸ線検出器の感度との比を補正係数として演算し、前記Ｘ線条件調整手段により調整された後のＸ線条件のうち、前記Ｘ線照射部に付与する管電流または前記Ｘ線照射部によるＸ線の照射時間に対して、前記補正係数を乗算することにより、前記Ｘ線調整手段により調整された後のＸ線条件を修正する。
【発明の効果】
【００１５】
請求項１に記載の発明によれば、Ｘ線検出器が変更された場合に、変更前のＸ線検出器の感度特性に対応するＸ線条件と変更後のＸ線検出器の感度特性に対応するＸ線条件との差異に応じＸ線制御部に対してＸ線条件を再度送信するか否かを制御することから、Ｘ線条件の再送信を必要最小限とすることができる。このため、Ｘ線条件を調整した後にＸ線撮影に使用されるＸ線検出器が変更された場合においても、Ｘ線条件を再調整する作業を低減することが可能となる。
【００１６】
請求項２および請求項３に記載の発明によれば、Ｘ線検出器が変更された場合に、変更前のＸ線検出器の感度特性に対応するＸ線条件と変更後のＸ線検出器の感度特性に対応するＸ線条件との差異に基づく修正情報をＸ線制御部に送信し、Ｘ線制御部において記憶手段に記憶されているＸ線条件を修正することから、Ｘ線条件の再送信を省略することができる。このため、Ｘ線条件を調整した後にＸ線撮影に使用されるＸ線検出器が変更された場合においても、Ｘ線条件を再調整する作業を不要とすることが可能となる。
【００１７】
請求項４に記載の発明によれば、Ｘ線照射部に付与する管電流またはＸ線照射部によるＸ線の照射時間に対してＸ線条件送信手段から送信された比を乗算することにより、記憶手段に記憶されるＸ線条件を修正することが可能となる。
【図面の簡単な説明】
【００１８】
【図１】この発明に係るＸ線撮影装置が設置されたＸ線撮影室Ａ、Ｂ、Ｃを示す説明図である。
【図２】この発明に係るＸ線撮影装置が設置されたＸ線撮影室Ａの概要図である。
【図３】高電圧部６の概要図である。
【図４】この発明に係るＸ線撮影装置の制御系を示すブロック図である。
【図５】Ｘ線検出器１ａ、１ｂ、１ｃ、１ｄを変更して使用する場合のＸ線撮影の準備動作を示すフローチャートである。
【図６】各Ｘ線検出器１ａ、１ｂ、１ｃ、１ｄのＸ線条件を示す表である。
【図７】コンソール部２が高電圧部６において調整された後のＸ線条件を検出不可能な場合において、Ｘ線条件とＸ線検出器１を変更した後のＸ線条件の再送信の要否を示す表である。
【図８】コンソール部２が高電圧部６において調整された後のＸ線条件を検出可能な場合において、Ｘ線条件とＸ線検出器１を変更した後のＸ線条件の再送信の要否を示す表である。
【図９】この発明の第２実施形態に係るＸ線撮影装置の側面概要図である。
【図１０】この発明の第２実施形態に係るＸ線撮影装置の斜視図である。
【発明を実施するための形態】
【００１９】
以下、この発明の実施の形態を図面に基づいて説明する。図１は、この発明に係るＸ線撮影装置が設置されたＸ線撮影室Ａ、Ｂ、Ｃを示す説明図である。
【００２０】
各Ｘ線撮影室Ａ、Ｂ、Ｃは、撮影領域１０１と操作領域１０２とから構成される。各Ｘ線撮影室Ａ、Ｂ、Ｃの撮影領域１０１には、被検者を起立姿勢で撮影するための立位撮影台５と、被検者を横たわらせた状態で撮影するための臥位撮影台４と、この発明に係るＸ線照射部としてのＸ線管を備えるＸ線照射機構３とが、各々、配設されている。一方、各Ｘ線撮影室Ａ、Ｂ、Ｃの操作領域１０２には、被検者の撮影条件を取得して記憶するこの発明に係る撮影制御部としてのコンソール部２と、Ｘ線照射機構３におけるＸ線管を制御するこの発明に係るＸ線制御部としての高電圧部６とが、各々、配設されている。
【００２１】
また、複数のＸ線検出器１ａ、１ｂ、１ｃ、１ｄ（これらを総称する場合には、「Ｘ線検出器１」という）が、スロット等に収納された状態で設置されている。これらのＸ線検出器１ａ、１ｂ、１ｃ、１ｄは、複数のＸ線撮影室Ａ、Ｂ、Ｃにおいて共通して使用されることから、各Ｘ線撮影室Ａ、Ｂ、Ｃからアクセス容易な場所に設置されている。なお、各Ｘ線検出器１ａ、１ｂ、１ｃ、１ｄとしては、フラットパネルディテクタが使用される。
【００２２】
図２は、この発明に係るＸ線撮影装置が設置されたＸ線撮影室Ａの概要図である。他のＸ線撮影室Ｂ、Ｃも、同様の構成を有する。
【００２３】
Ｘ線撮影室Ａにおける撮影領域１０１に配設されたＸ線照射機構３は、Ｘ線管３１と、コリメータ３２と、これらのＸ線管３１およびコリメータ３２を保持する懸垂保持部３３とから構成されている。懸垂保持部３３は、撮影領域１０１の天井に配設されたレール３４に沿って移動可能となっており、Ｘ線照射機構３は、図２において実線で示す立位撮影台５によりＸ線撮影を実行する位置と、図２において二点鎖線で示す臥位撮影台４によりＸ線撮影を実行する位置との間を移動可能に構成されている。
【００２４】
Ｘ線撮影室Ａにおける撮影領域１０１に配設された立位撮影台５は、Ｘ線検出器１を収納するＸ線検出器収納部５２を備える。このＸ線検出器収納部５２は、図示しないガイド部材に案内されることにより、ケーシング５１に対して昇降可能となっている。また、撮影領域１０１に配設された臥位撮影台４は、被検者Ｍを載置するテーブル４１と、Ｘ線検出器１を収納する、立位撮影台５におけるＸ線検出器収納部５２と同様のＸ線検出器収納部４２とを備える。
【００２５】
Ｘ線撮影室Ａにおける操作領域１０２に配設されたコンソール部２は、各種の入力を行うための入力部２３と、液晶表示パネル等から構成される表示部２４とを備える。このコンソール部２は、後述するように、複数のＸ線検出器１ａ、１ｂ、１ｃ、１ｄとの間においてワイヤレスで信号を送受信する構成を有する。
【００２６】
なお、Ｘ線撮影室Ａにおける撮影領域１０１と操作領域１０２とは、例えば、鉛ガラスを有する隔壁１０３により仕切られている。オペレータは、図示を省略した扉を介して、撮影領域１０１と操作領域１０２との間を移動する。
【００２７】
図３は、高電圧部６の概要図である。
【００２８】
この高電圧部６は、操作室１０２内において隔壁１０３に配設される。この高電圧部６は、タッチパネル式の液晶表示器から構成される表示部６２と、入力ボタン６４と有する操作パネル６１と、Ｘ線管３１からのＸ線の照射を開始するためのスイッチ６３とを備える。この高電圧部６においては、操作パネル６１を使用することにより、Ｘ線管３１の管電圧や管電流、あるいは、Ｘ線照射時間等のＸ線の照射条件を調整することが可能となっている。
【００２９】
図４は、この発明に係るＸ線撮影装置の制御系を示すブロック図である。なお、この図においては、高電圧部６における操作パネル６１およびスイッチ６３の図示を省略している。
【００３０】
上述したコンソール部２は、病院内の無線ネットワークを介して、放射線情報システム（ＲＩＳ）１０４と接続されている。このコンソール部２は、無線ネットワークを介して、放射線情報システム１０４から、撮影条件を含むオーダ情報を取得する。なお、この撮影条件は、Ｘ線条件のほか、患者の氏名、体格、性別、検査対象部位、撮影方向、グリッドの要否、画像処理条件等を含んでいる。この撮影条件を放射線情報システム１０４から取得するかわりに、コンソール部２における入力部２３を使用して入力するようにしてもよい。また、Ｘ線条件は、Ｘ線管３１に供給する高電圧の条件であって、通常、管電圧［ｋＶ］、管電流［ｍＡ］および撮影時間［ｍＳｅｃ］を指す。このコンソール部２は、上述したように、複数のＸ線検出器１ａ、１ｂ、１ｃ、１ｄとワイヤレスで信号を送受信する構成を有する。
【００３１】
このコンソール部２は、放射線情報システム１０４からオーダ情報を受信するためのオーダ情報受信部２１と、Ｘ線検出器１で検出したＸ線画像を画像処理するための画像処理部２２と、図２に示す入力部２３および表示部２４と、被検者Ｍの撮影に用いられるＸ線検出器１を特定するためのＸ線検出器特定部２５と、Ｘ線検出器特定部２５により特定されたＸ線検出器１の感度特性と被検者Ｍの撮影条件とに基づいてＸ線条件を決定するＸ線条件決定部２６と、高電圧部６における通信部６５との間で信号の送受信を行うための、この発明に係るＸ線条件送信手段を構成する通信部２７と、Ｘ線検出器１を制御するためのＸ線検出器制御部２８とを備える。
【００３２】
一方、上述した高電圧部６は、コンソール部２における通信部２７との間で信号の送受信を行うための通信部６５と、コンソール部２から送信されたＸ線条件を記憶するＸ線条件記憶部６６と、図３に示す操作パネル６１の操作に伴ってＸ線条件記憶部６６に記憶されたＸ線条件を調整するＸ線条件調整部６７とを備える。
【００３３】
なお、上述した実施形態においては、この発明に係る撮影制御部として機能するコンソール部２と、この発明に係るＸ線制御部として機能する高電圧部６とを個別に構成しているが、これらは，これらの機能を備えた一体のものであってもよい。
【００３４】
次に、以上のような構成を有するＸ線撮影装置において、Ｘ線検出器１ａ、１ｂ、１ｃ、１ｄを変更した場合におけるＸ線撮影の準備動作について説明する。図５は、Ｘ線検出器１ａ、１ｂ、１ｃ、１ｄを変更して使用する場合のＸ線撮影の準備動作を示すフローチャートである。
【００３５】
最初に、コンソール部２において、撮影オーダを選択する（ステップＳ１）。このときには、オーダ情報受信部２１が放射線情報システム１０４から受信して記憶しているオーダ情報のうち、次に撮影を行うべき撮影オーダを選択する。そして、そのオーダ情報に基づいて、コンソール部２におけるＸ線検出器特定部２５は使用すべきＸ線検出器１ａ、１ｂ、１ｃ、１ｄを選択し、特定する。また、Ｘ線条件決定部２６は、選択されたＸ線検出器１ａ、１ｂ、１ｃ、１ｄの感度特性と撮影オーダに対応した撮影条件としての撮影部位情報とに基づいて、Ｘ線条件を決定する（ステップＳ２）。そして、コンソール部２は、高電圧部６に対して決定されたＸ線条件を送信する（ステップＳ３）。
【００３６】
図６は、各Ｘ線検出器１ａ、１ｂ、１ｃ、１ｄのＸ線条件を示す表である。
【００３７】
図６においては、撮影部位が胸部正面であり、４個のＸ線検出器１ａ、１ｂ、１ｃ、１ｄのうち、１ａと１ｄの感度特性が同一で、１ｂと１ｃの感度特性がこれとは異なっている場合を示している。なお、感度特性とは、所定のＸ線を入射したときにＸ線検出器１により得られる信号の強度を指標にしたものである。この感度特性は、画素値の合計を入射Ｘ線量で割ったものでもよいが、検出器の入出力特性を表す量であれば、その他のものを使用してもよい。図６に示すように、感度特性が同じＸ線検出器１に対しては、同じＸ線条件が設定される。ここで、感度特性が同じとは、Ｘ線検出器１の感度特性に対応するＸ線条件の差異が一定値以下であること意味する。感度特性完全に一致するＸ線検出器１は、現実的には、存在しないためである。
【００３８】
次に、オペレータが、高電圧部６においてＸ線条件を調整する（ステップＳ４）。すなわち、オペレータは、高電圧部６において、撮影時のＳＩＤや被検者の体厚等のＸ線条件に影響を与える要素を考慮してＸ線条件を調整する。
【００３９】
そして、このようなＸ線条件の調整が行われた後に、例えば、ワイヤレス通信方式のＸ線検出器１においてのバッテリーの残量が不足することとなった場合や、予定されているＸ線検出器１が他のＸ線撮影装置で使用されていた場合等において、使用が予定されていたＸ線検出器１とは別のＸ線検出器１に変更してＸ線撮影を行う場合を想定する（ステップＳ５）。
【００４０】
Ｘ線検出器１を変更した場合においては、変更前のＸ線検出器１の感度特性と変更後のＸ線検出器の感度特性とが異なるか否かを判定する（ステップＳ６）。ここで、感度特性が異なるとは、上述したように、変更前のＸ線検出器１の感度特性に対応するＸ線条件と変更後のＸ線検出器１の感度特性に対応するＸ線条件との差異が一定値以上である場合を意味する。そして、変更前のＸ線検出器１の感度特性に対応するＸ線条件と変更後のＸ線検出器１の感度特性に対応するＸ線条件との差異が小さかった場合には、コンソール部２における通信部２７は、Ｘ線条件の変更は不要と判断し、そのまま、Ｘ線撮影準備を完了する（ステップＳ１３）。
【００４１】
変更前のＸ線検出器１の感度特性と変更後のＸ線検出器の感度特性とが異なる（Ｘ線検出器１の感度特性に対応するＸ線条件の差異が一定値以上である）場合には（ステップＳ６）、コンソール部２が高電圧部６において調整された後のＸ線条件を検出可能か否かについて判断する（ステップＳ７）。そして、コンソール部２から高電圧部６に対してＸ線条件を送信するだけで、高電圧部６からコンソール部２に対して調整後のＸ線条件を送信し得ないＸ線撮影装置においては、コンソール部２は、変更後のＸ線検出器１ａ、１ｂ、１ｃ、１ｄの感度特性と撮影オーダに対応した撮影条件としての撮影部位情報とに基づいて、再度、Ｘ線条件を決定する（ステップＳ１１）。そして、コンソール部２における通信部２７は、高電圧部６に対して、新たに決定されたＸ線条件を送信する（ステップＳ１２）。これにより、Ｘ線撮影準備が完了する（ステップＳ１３）。
【００４２】
図７は、コンソール部２が高電圧部６において調整された後のＸ線条件を検出不可能な場合において、Ｘ線条件とＸ線検出器１を変更した後のＸ線条件の再送信の要否を示す表である。なお、この表においては、図６と同様、４個のＸ線検出器１ａ、１ｂ、１ｃ、１ｄのうち、１ａと１ｄの感度特性が同一で、１ｂと１ｃの感度特性がこれとは異なっている場合を示している。
【００４３】
この表において、１ａ（前）は、Ｘ線検出器１ａを使用する場合において、コンソール部２から高電圧部６に送信されたＸ線条件を示し、１ａ（後）は、Ｘ線検出器１ａを使用する場合において、高電圧部６において調整された後のＸ線条件を示している。この表に示すように、変更後のＸ線検出器１の感度特性と、変更前のＸ線検出器１ａの感度特性とが異ならないＸ線検出器１ｄを使用した場合には、コンソール部２から高電圧部６へのＸ線条件の再送信が不要となる。
【００４４】
一方、変更前のＸ線検出器１の感度特性と変更後のＸ線検出器の感度特性とが異なる場合において（ステップＳ６）、コンソール部２が高電圧部６において調整された後のＸ線条件を検出可能である場合には（ステップＳ７）、高電圧部６における通信部６５が変更後のＸ線条件をコンソール部２における通信部２７に送信し、コンソール部２におけるＸ線条件決定部２６がこれを検出する（ステップＳ８）。そして、Ｘ線条件決定部２６は、検出されたＸ線条件に対して、変更前のＸ線検出器１の感度特性αと変更後のＸ線検出器１の感度特性βとの比を、感度特性補正係数Ｙとして演算する(ステップＳ９)。この感度特性補正係数Ｙは、以下の式で表される。
Ｙ＝α／β
【００４５】
そして、Ｘ線条件決定部２６は、変更前の線検出器１における調整後のＸ線条件に対して、この感度特性補正係数Ｙを乗算する（ステップＳ１０）。より具体的には、変更前の線検出器１における調整後のＸ線条件において、管電流がＡ０であり、撮影時間、すなわち、Ｘ線管３１からのＸ線の照射時間がＴ０であった場合には、変更後のＸ線検出器１に付与されるべき管電流Ａ１またはＸ線照射時間Ｔ１は、以下の式で表される。
Ａ１＝Ａ０×Ｙ
Ｔ１＝Ｔ０×Ｙ
【００４６】
そして、上記の乗算がなされた後のＸ線条件は、コンソール部２における通信部２７から高電圧部６における通信部６５に送信され、Ｘ線条件記憶部６６に記憶される。すなわち、Ｘ線条件記憶部６６に記憶されていたＸ線条件が、送信されたＸ線条件に修正される。
【００４７】
なお、感度補正係数Ｙは、管電流Ａ０またはＸ線の照射時間Ｔ０のいずれか一方に対して乗算すればよい。感度補正係数Ｙを管電流Ａ０またはＸ線の照射時間Ｔ０のいずれに乗算するかは、Ｘ線条件と高電圧部６の仕様により決定される。一般的には、撮影時間Ｔ１を大きくすると被検者Ｍの移動によるＸ線撮影画像の画質低下を招く可能性があることから、管電流Ａ１を大きくすることが好ましい。しかしながら、管電流Ａ１が上限値を超えるような場合においては、撮影時間Ｔ１を大きくすればよい。
【００４８】
図８は、コンソール部２が高電圧部６において調整された後のＸ線条件を検出可能な場合において、Ｘ線条件とＸ線検出器１を変更した後のＸ線条件の再送信の要否を示す表である。なお、この表においては、図６と同様、４個のＸ線検出器１ａ、１ｂ、１ｃ、１ｄのうち、１ａと１ｄの感度特性が同一で、１ｂと１ｃの感度特性がこれとは異なっている場合を示している。
【００４９】
この表においても、１ａ（前）は、Ｘ線検出器１ａを使用する場合において、コンソール部２から高電圧部６に送信されたＸ線条件を示し、１ａ（後）は、Ｘ線検出器１ａを使用する場合において、高電圧部６において調整された後のＸ線条件を示している。この表に示すように、変更後のＸ線検出器１の感度特性と、変更前のＸ線検出器１ａの感度特性とが異なった場合においても、上述した感度特性補正係数Ｙを利用して管電流を補正することにより、コンソール部２から高電圧部６へのＸ線条件の再送信が不要となる。
【００５０】
なお、上述した実施形態においては、高電圧部６において調整された後のＸ線条件をコンソール部２に送信し、コンソール部２において乗算を実行した後のＸ線条件を、この発明に係る修正情報としてコンソール部２から高電圧部６に送信する構成を採用している。しかしながら、高電圧部６が演算機能を備えている場合には、高電圧部６がコンソール部２から感度補正係数Ｙをこの発明に係る修正情報として受信し、高電圧部６において上記と同様の乗算を実行するようにしてもよい。
【００５１】
次に、この発明の他の実施形態について説明する。図９は、この発明の第２実施形態に係るＸ線撮影装置の側面概要図である。また、図１０は、この発明の第２実施形態に係るＸ線撮影装置の斜視図である。
【００５２】
上述した実施形態においては、各Ｘ線撮影室Ａ、Ｂ、Ｃの撮影領域１０１に、立位撮影台５と、臥位撮影台４と、Ｘ線管３１を備えるＸ線照射機構３とを配設し、各Ｘ線撮影室Ａ、Ｂ、Ｃの操作領域１０２に、この発明に係る撮影制御部としてのコンソール部２と、Ｘ線管３１を制御するこの発明に係るＸ線制御部としての高電圧部６とを配設している。これに対して、この第２実施形態においては、この発明に係るＸ線照射部と、撮影制御部と、Ｘ線制御部とを、単一の装置として構成している。
【００５３】
この第２実施形態に係るＸ線撮影装置は、回診用Ｘ線撮影装置とも呼称されるものであり、複数の病室間を移動して、各病室においてＸ線検査を実行するものである。このＸ線撮影装置は、台車７５に配設された支柱７４と、この支柱７４に対して昇降可能な状態で配設されたアーム７３と、アーム７３の先端に配設されたＸ線管７１と、このＸ線管７１の下方に配設されたコリメータ７２と、コリメータ７２に付設されたハンドル８６と、Ｘ線管７１から照射され被検者を通過したＸ線を検出するための一対のＸ線検出器１ａ、１ｂと、このＸ線検出器１ａ、１ｂを収納するための収納部７７とを備える。Ｘ線検出器１ａ、１ｂとしては、フラットパネルディテクタが使用される。
【００５４】
また、このＸ線撮影装置は、Ｘ線検出器１ａ、１ｂにより検出されたデジタル画像の表示部および各種の操作を入力する入力部として機能するタッチパネル式のＬＣＤから構成される表示・操作部８５を備える。さらに、このＸ線撮影装置は、方向変更用の車輪である左右一対の前輪８１と、駆動用の車輪である左右一対の後輪８２と、台車７５の進行方向を操作するための操作ハンドル７９とを備える。後輪８２は、台車７５内に配設されたモータの駆動により回転する。また、この発明に係る撮影制御部とＸ線制御部とは、この台車７５内に配設されている。
【００５５】
アーム７３は、図９において実線で示す、台車７５を移動させるときにアーム７３を配置すべき位置である固定位置と、図９において仮想線で示す固定位置から上昇した撮影位置との間を昇降可能となっている。アーム７３が固定位置にある状態においては、アーム７３の下面はアームキャッチと呼称されるロック部７８に当接する。この状態においては、アーム７３の下面に配設されたピン８３がロック部７８に形成された穴部（図示せず）内に収納される。また、アーム７３は、図１０に示すように、固定位置から上昇した状態で、支柱７４を中心に旋回する。
【００５６】
このような構成を有するＸ線撮影装置においては、複数のＸ線検出器１ａ、１ｂが収納部７７内に収納されている。これらのＸ線検出器１ａ、１ｂは、被検者Ｍの撮影部位の大きさ等に応じて選択的に使用される。そして、このＸ線撮影装置においても、上述した第１実施形態と同様、図５に示す工程により、Ｘ線撮影に使用されるＸ線検出器１が変更された場合においては、上述した第１実施形態と同様の動作により、Ｘ線条件の変更の必要性が判断され、あるいは、Ｘ線条件が補正される。
【符号の説明】
【００５７】
１      Ｘ線検出器
２      コンソール部
３      Ｘ線照射機構
４      臥位撮影台
５      立位撮影台
６      高電圧部
２１    オーダ情報受信部
２５    Ｘ線検出器特定部
２６    Ｘ線条件決定部
２７    通信部
３１    Ｘ線管
６６    Ｘ線条件記憶部
６７    Ｘ線条件調整部
７１    Ｘ線管
７５    台車
８５    表示操作部
１０１  撮影領域
１０２  操作領域
１０３  隔壁
１０４  放射線情報システム
Ａ      Ｘ線撮影室
Ｂ      Ｘ線撮影室
Ｃ      Ｘ線撮影室
Ｍ      被検者
【図１】
2018068820.tif 000003
【図２】
2018068820.tif 000004
【図３】
2018068820.tif 000005
【図４】
2018068820.tif 000006
【図５】
2018068820.tif 000007
【図６】
2018068820.tif 000008
【図７】
2018068820.tif 000009
【図８】
2018068820.tif 000010
【図９】
2018068820.tif 000011
【図１０】
2018068820.tif 000012